(57)【要約】【課題】表示器の視認性を高めることができる車載用表示装置を提供する。【解決手段】運転操作に資する情報を画像情報１１Ａとして表示する表示器１１と、表示器１１に入射する光を検出する照度センサー２３と、照度センサー２３の検出結果に応じて、画像情報１１Ａを表示器１１内の見やすい位置に移動させる制御部２１とを備えたことを特徴とする。【選択図】図１
2012002579.tif 000002
【特許請求の範囲】
【請求項１】
運転操作に資する情報を画像情報として表示する表示器と、
前記表示器に入射する光を検出する照度センサーと、
前記照度センサーの検出結果に応じて、前記画像情報を前記表示器内の見やすい位置に移動させる制御部とを備えたことを特徴とする車載用表示装置。
【請求項２】
前記制御部は、前記照度センサーの検出結果に応じて、前記表示器内の見やすい位置を判断する判断部を備えたことを特徴とする請求項１に記載の車載用表示装置。
【請求項３】
前記照度センサーは、前記表示器の周囲の少なくとも４隅に設けられていることを特徴とする請求項１又は２に記載の車載用表示装置。
【請求項４】
前記表示器は、現在地から目的地までの経路案内を可能としたナビゲーション装置の表示器であり、前記画像情報は、経路案内に資する経路誘導情報であり、前記表示器の４隅のいずれかの位置にデフォルト表示されていることを特徴とする請求項１乃至３のいずれか一項に記載の車載用表示装置。
【請求項５】
前記制御部は、車両の進行方向が変化するか、あるいは時間経過により入射方向が変化するまで、前記画像情報を移動前の位置に戻さないことを特徴とする請求項１乃至４のいずれか一項に記載の車載用表示装置。
【請求項６】
前記制御部は、すべての照度センサーがオン、又はすべての照度センサーがオフしたときに、前記画像情報をデフォルト位置に戻すことを特徴とする請求項１乃至５のいずれか一項に記載の車載用表示装置。
【発明の詳細な説明】
【技術分野】
【０００１】
本発明は、運転操作に資する情報を表示する車載用表示装置に関する。
【背景技術】
【０００２】
従来、車両に搭載される表示装置の表示画面（表示器）からの日光の反射による視認性の低下を防ぐために、表示装置の上部に日射遮蔽部材を装備しているものが知られている（例えば、特許文献１参照）。或いは、反射光が運転者に向かないように、表示画面の上下左右の角度および前後方向の位置が制御されるものが知られている（例えば、特許文献２参照）。
【先行技術文献】
【特許文献】
【０００３】
【特許文献１】特開２００６−３３５１８２号公報
【特許文献２】特開２００８−１５５７３８号公報
【発明の概要】
【発明が解決しようとする課題】
【０００４】
しかしながら、従来の構成では、日射遮蔽部材或いは表示器を、角度及び前後方向位置が変更可能に保持する手段を表示装置に装備する必要があり、表示装置が大型化するという問題がある。
本発明は、上述した従来の技術が有する課題を解消し、表示器の視認性を高めることができる車載用表示装置を提供することを目的とする。
【課題を解決するための手段】
【０００５】
上記目的を達成するために、本発明は、運転操作に資する情報を画像情報として表示する表示器と、前記表示器に入射する光を検出する照度センサーと、前記照度センサーの検出結果に応じて、前記画像情報を前記表示器内の見やすい位置に移動させる制御部とを備えたことを特徴とする。
この構成によれば、表示器に部分的に光が入射し、表示器が部分的に見えづらい状態になっても、表示器に表示される画像情報を、表示器の光の入射がない位置に移動するため、車両の運転者から見て、運転操作に資する画像情報が見やすい位置に移動し、結果的に表示器の視認性を高めることができる。
【０００６】
この構成において、前記制御部は、前記照度センサーの検出結果に応じて、前記表示器内の見やすい位置を判断する判断部を備えた構成としても良い。
この構成によれば、判断部が表示器内の見やすい位置を判断し、その見やすい位置に画像情報が移動するため、車両の運転者から見て表示器の視認性が高まる。
【０００７】
また、前記照度センサーは、前記表示器の周囲の少なくとも４隅に設けられている構成としても良い。
この構成によれば、少なくとも４隅に設けられた照度センサーのうち、入射光を検出している照度センサーと、検出していない照度センサーの位置から、表示器のどの部分に光が差し込んでいるかを高精度に検知することができ、表示器内の見やすい位置に的確に画像情報を移動させることができるため、表示器の視認性を向上させることができる。
【０００８】
また、前記表示器は、現在地から目的地までの経路案内を可能としたナビゲーションの表示器であり、前記画像情報は、経路案内に資する経路誘導情報であり、前記表示器の４隅のいずれかの位置にデフォルト表示されている構成としても良い。
この構成によれば、現在地から目的地までの経路案内を可能としたナビゲーションの、デフォルト表示されている経路案内に資する経路誘導情報が、表示器に光が入射し見えずらす状態になったときに、表示器内の見やすい位置に移動されるため、車両の運転者から見て、大事な経路誘導情報が見えやすくなり、結果的に表示器の視認性が高まる。
【０００９】
また、前記制御部は、車両の進行方向が変化するか、あるいは時間経過により入射方向が変化するまで、前記画像情報を移動前の位置に戻さない構成としても良い。
この構成によれば、車両の進行方向が変化する、或いは、時間が経過して、太陽の仰角及び方位が変わり、表示器に入射する光の角度及び／又は方向が変わった場合に、画像情報が車両の運転者にとって見やすい位置に移動するため、ユーザーにとって大事な画像情報が見えやすくなり、表示器の視認性が向上する。
【００１０】
また、前記制御部は、すべての照度センサーがオン、又はすべての照度センサーがオフしたときに、前記画像情報をデフォルト位置に戻す構成としても良い。
この構成によれば、表示器に光の入射がない場合、或いは、表示器の全面に光が入射している場合には、予め車両の運転者にとって見やすい位置に設定されているデフォルト位置に画像情報が戻されるため、画像情報の表示位置が認識しやすくなり、結果的に表示器の視認性が向上する。
【発明の効果】
【００１１】
本発明によれば、車載用表示装置の表示器に光が射し込み、部分的に画面が白飛びして見えずらい状態になった場合に、車両の運転者にとって必要な画像情報を、表示器内の光が差し込んでいない、見やすい位置に移動させることができるため、表示器の視認性を向上させることができる。
【図面の簡単な説明】
【００１２】
【図１】本実施形態の車載用表示装置の概略構成を示すブロック図である。
【図２】車載用表示装置の正面図である。
【図３】車載用表示装置の表示制御を示すフローチャートである。
【発明を実施するための形態】
【００１３】
以下、図面を参照して本発明の実施形態について説明する。
図１は、本発明を適用した実施形態に係る車載用表示装置１の概略構成を示す図であり、図２は、車載用表示装置１を正面から見た図である。表示装置１は、例えば、車両に搭載されるカーナビゲーション装置のディスプレイとして用いられる。
図１に示すように、表示装置１は、表示部１０と、マイコン（制御部）２１と、メモリ部２２と、明度センサー２３とを備えている。メモリ部２２は、ＣＲＡＭ、ＣＤＲＡＭ、フラッシュＲＡＭなどから構成され、表示設定情報２２ａを書き換え自在に格納している。また、メモリ部２２には、不図示の道路地図情報（経路情報）が記録されている。
【００１４】
表示部１０は、画像情報が表示される表示器１１と、表示器１１に出力する画像信号に対して信号処理を施す信号処理部１２とを備えている。表示器１１は、例えば、液晶パネル、プラズマディスプレイ、あるいは有機ＥＬディスプレイから構成されている。信号処理部１２は、マイコン２１から入力される制御信号に基づき、表示器１１に出力する画像信号に対して信号処理を施す。また、図示は省略したが、表示装置１のマイコン２１は、日時情報を出力するＲＴＣを内蔵し、カーナビゲーション装置に備えられ外部から交通情報を受信する受信機、車両に備えられたＧＰＳユニット及び方向指示器（ジャイロセンサー）に接続されて車両の現在地情報や進行方向の情報等が入力される。
【００１５】
明度（照度）センサー２３は、図２に示すように、表示器１１の周囲に備えられた化粧板１３の少なくとも４隅に設けられた、例えばＣｄｓセル等の、照度センサーＣ１〜Ｃ４から構成されている。表示器１１に光が射し込み、照度センサーＣ１〜Ｃ４の一個或いは複数個が入射光を検出すると、各照度センサーＣ１〜Ｃ４は、入射光が検出された照度センサーＣ１〜Ｃ４を入射信号オンとして、マイコン２１に検出結果を入力する。入射光の検出は、例えば、Ｃｄｓセル内の抵抗値が規定値よりも下がったことが検出されることによって行われる。
【００１６】
表示器１１には、画像情報（インジケータ）１１Ａが表示される。画像情報１１Ａには経路案内に資する経路誘導情報が表示される。経路誘導情報は、メモリ部２２に記録される経路情報、外部から入力される交通情報、車両に搭載されるＧＰＳ及び方向指示器等から得られる情報であり、例えば交差点名、交差点までの距離、レーンガイド、方面看板、或いは、高速道路の入口、出口、分岐、料金等が表示される。また、画像情報１１Ａには経路案内に資する情報の他に、不図示のオーディオ装置によって再生される曲名やアーティスト名、ラジオの周波数や局名等を表示することも可能である。画像情報１１Ａの表示器１１内のデフォルト位置及び、画像情報１１Ａに表示する情報は、ユーザーによって設定自在であり、各ユーザーが必要或いは重要とする情報を選択し、メモリ部２２に表示設定情報２２ａとして記録する。また、ユーザーは、画像情報１１Ａを表示しないように設定することも可能である。
【００１７】
表示器１１に光が差し込むと、画面が白飛びし、画面の視認性が低減するが、本発明を適用することによって、例えば図２に示すように、光が表示器１１の右上に部分的に差し込んでいる場合には、画像情報１１Ａを表示器１１の見やすい位置（光が差し込んでいない左下）に移動させて、画像情報１１Ａの視認性を高め、ユーザーが必要或いは重要とする情報をユーザーに提供することを可能とする。表示器１１内の見やすい位置の判断は、マイコン２１に備えられた判断部２４（図１参照）によって行われる。
【００１８】
画像情報１１Ａは、表示装置１の起動時には、表示器１１上のデフォルト位置、例えば表示器１１の右上に配置される。ユーザーは、画像情報１１Ａのデフォルト位置を、表示器の４隅のいずれか、例えば右上、右下、左上、左下から選択することができる。本実施形態においては、ユーザーが画像情報１１Ａのデフォルト位置を右上に設定した場合について、以下に判断部２４の画像情報１１Ａの見やすい位置の判断について、図３のフローチャートを用いて、具体的に説明する。また、各照度センサーＣ１〜Ｃ４は、入射光を検出した場合にはオン、入射光を検出していない場合にはオフとしてマイコン２１に検出結果が入力される。
【００１９】
表示装置１が起動すると、まず、画像情報１１Ａは表示器１１内のデフォルト位置に表示され、同時に各照度センサーＣ１〜Ｃ４で入射光の検出が行われる。マイコン２１は、各照度センサーＣ１〜Ｃ４の検出結果を順に取得し、判断部２４は順に入力される各照度センサーＣ１〜Ｃ４の検出結果から画像情報１１Ａの見やすい位置を判断する。
各照度センサーＣ１〜Ｃ４の検出結果が全てオフの場合（ステップＳ１，Ｓ２，Ｓ３，Ｓ４：ＮＯ）、或いは、全てオンの場合（ステップＳ１，Ｓ６，Ｓ７，Ｓ８：Ｙｅｓ）には、判断部２４は画像情報１１Ａの見やすい位置をデフォルト位置と判断し（ステップＳ５，Ｓ９）、マイコン２１は、画像情報１１Ａをデフォルト位置に表示するように表示器１１の信号処理部１２に対して画像信号を出力し、マイコン２１からの画像信号を元に、画像情報１１Ａは表示器１１内のデフォルト位置に表示される。
【００２０】
各照度センサーＣ１〜Ｃ４の検出結果のうち、センサーＣ１だけがオンの場合（ステップＳ１：Ｙｅｓ，ステップＳ６，Ｓ１７，Ｓ１８：ＮＯ）には、判断部２４は、表示器１１内でセンサーＣ１が配置された左上隅の対角線上の逆隅に当たる右下位置が見やすい位置と判断し（ステップＳ１９）、マイコン２１は、画像情報１１Ａを表示器１１内の右下位置に表示するように表示器１１の信号処理部１２に対して画像信号を出力し、マイコン２１からの画像信号を元に、画像情報１１Ａは表示器内の右下位置に表示される。
【００２１】
各照度センサーＣ１〜Ｃ４の検出結果のうち、センサーＣ２だけがオンの場合（ステップＳ１：ＮＯ、ステップＳ２：Ｙｅｓ、ステップＳ１３，Ｓ１４：ＮＯ）には、判断部２４は、表示器１１内でセンサーＣ２が配置された右上隅の対角線上の逆隅に当たる左下位置が見やすい位置と判断し（ステップＳ１５）、マイコン２１は、画像情報１１Ａを表示器１１内の左下位置に表示するように表示器１１の信号処理部１２に対して画像信号を出力し、マイコン２１からの画像信号を元に、画像情報１１Ａは表示器１１内の左下位置に表示される。
【００２２】
各照度センサーＣ１〜Ｃ４の検出結果のうち、センサーＣ３だけがオンの場合（ステップＳ１，Ｓ２：ＮＯ、ステップＳ３：Ｙｅｓ、ステップＳ１１：ＮＯ）には、判断部２４は、表示器１１内でセンサーＣ３が配置された左下隅の対角線上の逆隅に当たる右上位置が見やすい位置と判断し（ステップＳ１２）、マイコン２１は、画像情報１１Ａを表示器１１内の右上位置に表示するように表示器１１の信号処理部１２に対して画像信号を出力し、マイコン２１からの画像信号を元に、画像情報１１Ａは表示器１１内の右上位置に表示される。
【００２３】
各照度センサーＣ１〜Ｃ４の検出結果のうち、センサーＣ４だけがオンの場合（ステップＳ１，Ｓ２，Ｓ３：ＮＯ、ステップＳ４：Ｙｅｓ）には、判断部２４は、表示器１１内でセンサーＣ４が配置された右下隅の対角線上の逆隅に当たる左上位置が見やすい位置と判断し（ステップＳ１０）、マイコン２１は、画像情報１１Ａを表示器１１内の左上位置に表示するように表示器１１の信号処理部１２に対して画像信号を出力し、マイコン２１からの画像信号を元に、画像情報１１Ａは表示器１１内の左上位置に表示される。
【００２４】
各照度センサーＣ１〜Ｃ４の検出結果のうち、センサーＣ１だけがオフの場合（ステップＳ１：ＮＯ、ステップＳ２，Ｓ１３，Ｓ２５：Ｙｅｓ）には、判断部２４は、表示器１１内でセンサーＣ１が配置された左上位置が見やすい位置と判断し（ステップＳ２６）、マイコン２１は、画像情報１１Ａを表示器１１内の左上位置に表示するように表示器１１の信号処理部１２に対して画像信号を出力し、マイコン２１からの画像信号を元に、画像情報１１Ａは表示器１１内の左上位置に表示される。
【００２５】
各照度センサーＣ１〜Ｃ４の検出結果のうち、センサーＣ２だけがオフの場合（ステップＳ１：Ｙｅｓ、ステップＳ６：ＮＯ，ステップＳ１７，Ｓ２３：Ｙｅｓ）には、判断部２４は、表示器１１内でセンサーＣ２が配置された右上位置が見やすい位置と判断し（ステップＳ２４）、マイコン２１は、画像情報１１Ａを表示器１１内の右上位置に表示するように表示器１１の信号処理部１２に対して画像信号を出力し、マイコン２１からの画像信号を元に、画像情報１１Ａは表示器１１内の右上位置に表示される。
【００２６】
各照度センサーＣ１〜Ｃ４の検出結果のうち、センサーＣ３だけがオフの場合（ステップＳ１，Ｓ６：Ｙｅｓ、ステップＳ７：ＮＯ、ステップＳ２１：Ｙｅｓ）には、判断部２４は、表示器１１内でセンサーＣ３が配置された左下位置が見やすい位置と判断し（ステップＳ２２）、マイコン２１は、画像情報１１Ａを表示器１１内の左下位置に表示するように表示器１１の信号処理部１２に対して画像信号を出力し、マイコン２１からの画像信号を元に、画像情報１１Ａは表示器内の左下位置に表示される。
【００２７】
各照度センサーＣ１〜Ｃ４の検出結果のうち、センサーＣ４だけがオフの場合（ステップＳ１，Ｓ６，Ｓ７：Ｙｅｓ、ステップＳ８：ＮＯ）には、判断部２４は、表示器１１内でセンサーＣ４が配置された右下位置が見やすい位置と判断し（ステップＳ２０）、マイコン２１は、画像情報１１Ａを表示器１１内の右下位置に表示するように表示器１１の信号処理部１２に対して画像信号を出力し、マイコン２１からの画像信号を元に、画像情報１１Ａは表示器１１内の右下位置に表示される。
【００２８】
各照度センサーＣ１〜Ｃ４の検出結果のうち、センサーＣ１，Ｃ２がオンの場合（ステップＳ１，Ｓ６：Ｙｅｓ、ステップＳ７，Ｓ２１：ＮＯ）には、判断部２４は、ユーザーによって設定された画像情報１１Ａのデフォルト位置が右か否かを判断し（ステップＳ２７）、表示器１１内で光の入射がない下側で、デフォルト位置が右の場合には右下位置が見やすい位置と判断し（ステップＳ２８）、デフォルト位置が右ではない場合には左下位置が見やすい位置と判断する（ステップＳ２９）。マイコン２１は、判断部２４の判断（ステップＳ２８或いはステップＳ２９）に応じて、画像情報１１Ａを表示器１１内の右下位置或いは左下位置に表示するように表示器１１の信号処理部１２に対して画像信号を出力し、マイコン２１からの画像信号を元に、画像情報１１Ａは表示器１１内の右下位置或いは左下位置に表示される。
【００２９】
各照度センサーＣ１〜Ｃ４の検出結果のうち、センサーＣ３，Ｃ４がオンの場合（ステップＳ１，Ｓ２：ＮＯ、ステップＳ３，Ｓ１１：Ｙｅｓ）には、判断部２４は、ユーザーによって設定された画像情報１１Ａのデフォルト位置が右か否かを判断し（ステップＳ３０）、表示器１１内で光の入射がない上側で、デフォルト位置が右の場合には右上位置が見やすい位置と判断し（ステップＳ３１）、デフォルト位置が右ではない場合には左上位置が見やすい位置と判断する（ステップＳ３２）。マイコン２１は、判断部２４の判断（ステップＳ３１或いはステップＳ３２）に応じて、画像情報１１Ａを表示器１１内の右上位置或いは左上位置に表示するように表示器１１の信号処理部１２に対して画像信号を出力し、マイコン２１からの画像信号を元に、画像情報１１Ａは表示器１１内の右上位置或いは左上位置に表示される。
【００３０】
各照度センサーＣ１〜Ｃ４の検出結果のうち、センサーＣ１，Ｃ３がオンの場合（ステップＳ１：Ｙｅｓ、ステップＳ６：ＮＯ、ステップＳ１７：Ｙｅｓ、ステップＳ２３：ＮＯ）には、判断部２４は、ユーザーによって設定された画像情報１１Ａのデフォルト位置が上か否かを判断し（ステップＳ３３）、表示器１１内で光の入射がない右側で、デフォルト位置が上の場合には右上位置が見やすい位置と判断し（ステップＳ３４）、デフォルト位置が上ではない場合には右下位置が見やすい位置と判断する（ステップＳ３５）。マイコン２１は、判断部２４の判断（ステップＳ３４或いはステップＳ３５）に応じて、画像情報１１Ａを表示器１１内の右上位置或いは右下位置に表示するように表示器１１の信号処理部１２に対して画像信号を出力し、マイコン２１からの画像信号を元に、画像情報１１Ａは表示器１１内の右上位置或いは右下位置に表示される。
【００３１】
各照度センサーＣ１〜Ｃ４の検出結果のうち、センサーＣ２，Ｃ４がオンの場合（ステップＳ１：ＮＯ、ステップＳ２：Ｙｅｓ、ステップＳ１３：ＮＯ、ステップＳ１４：Ｙｅｓ）には、判断部２４は、ユーザーによって設定された画像情報１１Ａのデフォルト位置が上か否かを判断し（ステップＳ３６）、表示器１１内で光の入射がない左側で、デフォルト位置が上の場合には左上位置が見やすい位置と判断し（ステップＳ３７）、デフォルト位置が上ではない場合には左下位置が見やすい位置と判断する（ステップＳ３８）。マイコン２１は、判断部２４の判断（ステップＳ３７或いはステップＳ３８）に応じて、画像情報１１Ａを表示器１１内の左上位置或いは左下位置に表示するように表示器１１の信号処理部１２に対して画像信号を出力し、マイコン２１からの画像信号を元に、画像情報１１Ａは表示器１１内の左上位置或いは左下位置に表示される。
【００３２】
各照度センサーＣ１〜Ｃ４の検出結果のうち、センサーＣ２，Ｃ３がオンの場合（ステップＳ１：ＮＯ、ステップＳ２，Ｓ１３：Ｙｅｓ、ステップＳ２５：ＮＯ）には、判断部２４は、ユーザーによって設定された画像情報１１Ａのデフォルト位置が右下か否かを判断し（ステップＳ３９）、デフォルト位置が右下の場合には右下位置が見やすい位置と判断し（ステップＳ４０）、デフォルト位置が右下ではない場合には、表示器１１内で上側を優先し、左上位置が見やすい位置と判断する（ステップＳ４１）。マイコン２１は、判断部２４の判断（ステップＳ４０或いはステップＳ４１）に応じて、画像情報１１Ａを表示器１１内の右下位置或いは左上位置に表示するように表示器１１の信号処理部１２に対して画像信号を出力し、マイコン２１からの画像信号を元に、画像情報１１Ａは表示器１１内の右下位置或いは左上位置に表示される。
【００３３】
各照度センサーＣ１〜Ｃ４の検出結果のうち、センサーＣ１，Ｃ４がオンの場合（ステップＳ１：Ｙｅｓ、ステップＳ６，Ｓ１７：ＮＯ、ステップＳ１８：Ｙｅｓ）には、判断部２４は、ユーザーによって設定された画像情報１１Ａのデフォルト位置が左下か否かを判断し（ステップＳ４２）、デフォルト位置が左下の場合には左下位置が見やすい位置と判断し（ステップＳ４３）、デフォルト位置が左下ではない場合には、表示器１１内で上側を優先し、右上位置が見やすい位置と判断する（ステップＳ４４）。マイコン２１は、判断部２４の判断（ステップＳ４３或いはステップＳ４４）に応じて、画像情報１１Ａを表示器１１内の左下位置或いは右上位置に表示するように表示器１１の信号処理部１２に対して画像信号を出力し、マイコン２１からの画像信号を元に、画像情報１１Ａは表示器１１内の左下位置或いは右上位置に表示される。
【００３４】
これらの構成によれば、ユーザーによって設定された画像情報１１Ａのデフォルト位置がオフの場合には、画像情報１１Ａはデフォルト位置に表示される。画像情報１１Ａを表示器１１内の上下左右の何処に優先的に表示するかは、表示装置１の取付け位置や、表示装置１が搭載される車両のハンドル位置、或いは表示器１１の取付け角度等の要素を考慮して、表示装置１の仕様として決定される。例えば、本実施形態においては、対角線上に配置された一対の照度センサーＣ１〜Ｃ４のうち何れか二つがオンで、更にデフォルト位置の照度センサーがオンの場合には、表示器１１内の上側を優先して画像情報１１Ａを表示する構成とした。
【００３５】
画像情報１１Ａが一旦見やすい位置に移動すると、マイコン２１は、車両の進行方向が変化するか、或いは、時間が経過して太陽の仰角及び方位が変化し、表示器１１への光の入射方向が変化するまでは、画像情報１１Ａを移動前の位置或いはデフォルト位置に戻すことはなく、また、見やすい位置に移動させることもない。
車両の方向指示器が、車両の進行方向が変化したことを検出し、マイコン２１が方向指示器の検出結果を取得すると、マイコン２１は、再び各照度センサーＣ１〜Ｃ４の入射光の検出結果を順に取得して、判断部２４で、図３に示されるフローチャートに従って、画像情報１１Ａの見やすい位置を判断する。また、マイコン２１は、画像情報１１Ａの直前の移動から、予め設定した時間以上、例えば１５分以上経過した際に、再び各照度センサーＣ１〜Ｃ４の入射光の検出結果を順に取得して、判断部２４で、画像情報１１Ａの見やすい位置を判断する。
【００３６】
判断部２４によって見やすい位置が判断されると、マイコン２１は、画像情報１１Ａを表示器１１内で見やすい位置に移動するために、表示器１１の信号処理部１２に対して画像信号を出力し、マイコン２１からの画像信号を元に、画像情報１１Ａは表示器内で、判断部２４が見やすい位置と判断した位置に移動する。
この様に、本実施形態によれば、表示器１１に部分的に光が入射し、表示器１１が部分的に見えづらい状態になっても、表示器１１に表示される画像情報１１Ａを、表示器１１の光の入射がない位置に移動させるため、車載用表示装置１を、日射の影響を受け易い、例えば車両のダッシュボード、或いは、バイクに取り付けた場合においても、表示器１１の視認性を高めることができる。
【００３７】
以上、実施形態に基づいて本発明を説明したが、本発明はこれに限定されるものではない。本実施形態では、表示器１１の周囲の少なくとも４隅に照度センサーＣ１〜Ｃ４を設ける構成としたが、これに限らず、表示器１１周囲の４隅と、上下中央部、及び／或いは、左右中央部にも照度センサーを追加して、例えば、表示器１１周囲に設けた８個のセンサーで入射光の検出を行う構成としても良い。この構成によれば、表示器のどの部分に光が入射しているかを更に高精度に検出することができるため、画像情報１１Ａを表示器１１内で最も見やすい位置に移動することができる。その他の細部構成についても、任意に変更可能である。
【符号の説明】
【００３８】
１  車載用表示装置（表示装置）
１１  表示器
１１Ａ  案内表示画面
２１  マイコン（制御部）
２２  メモリ部
２２ａ  表示設定情報
２３  明度センサー（照度センサー）
２４  判断部
【図１】
2012002579.tif 000003
【図２】
2012002579.tif 000004
【図３】
2012002579.tif 000005